(57)【特許請求の範囲】
【請求項１】
扇風機のモータ部の出力シャフトに固着された回転羽根を外方から被うとともに、多数本の線材を有する羽根ガードの背面部を被覆可能で、長辺と短辺とを有して矩形状の不織布と、この不織布の長辺側の両縁部にそれぞれ取り付けられた伸縮自在な１対の弾性バンドとを備えた扇風機用フィルタ。
【請求項２】
扇風機のモータ部の出力シャフトに固着された回転羽根を外方から被うとともに、多数本の線材を有する羽根ガードの背面部を被覆可能な矩形状の不織布と、該不織布の長辺側の両縁部にそれぞれ取り付けられた伸縮自在な１対の弾性バンドと、前記不織布による羽根ガードの背面部の被覆状態を保持する係止部材とを備えた扇風機用フィルタであって、該不織布の長辺側の両縁部に、略全長にわたって各弾性バンドを遊挿する１対の管状のバンド通し部を配設し、両弾性バンドの長さを前記不織布の長辺より短くするとともに、前記モータ部側のバンド通し部に遊挿される弾性バンドの長さを、前記羽根ガードの前面部側の弾性バンドよりも短くし、各弾性バンドの両端部に、前記係止部材をそれぞれ配設した扇風機用フィルタ。
【請求項３】
不織布ロールから導出された帯状の不織布の端部を、その導出方向に直交する方向から該帯状の不織布の幅の全長にわたって裁断することで、扇風機の回転羽根を外方から被う羽根ガードの背面部を被覆可能な矩形状の不織布を形成する工程と、
この矩形状の不織布の長辺側の両縁部に、長さの異なる１対の弾性バンドをそれぞれ取り付ける工程とを備えた扇風機用フィルタの製造方法。
【請求項４】
不織布ロールから導出された帯状の不織布の端部を、その導出方向に直交する方向から該帯状の不織布の幅の全長にわたって裁断することで、扇風機の回転羽根を外方から被う羽根ガードの背面部を被覆可能な矩形状の不織布を形成する工程と、
該矩形状の不織布の長辺側の両縁部に、略全長にわたって弾性バンドが遊挿される管状のバンド通し部をそれぞれ形成する工程と、
一方の前記バンド通し部に、前記不織布の長辺より短い弾性バンドを遊挿する工程と、
他方の前記バンド通し部に、前記不織布の長辺および前記一方の弾性バンドよりも短い別の弾性バンドを遊挿する工程と、
各弾性バンドの両端部に、前記不織布による羽根ガードの背面部の被覆状態を保持する係止部材をそれぞれ設ける工程とを備えた扇風機用フィルタの製造方法。
【発明の詳細な説明】
【０００１】
【発明の属する技術分野】
この発明は扇風機用フィルタおよびその製造方法、詳しくは扇風機の回転羽根を被う羽根ガードに着脱自在に装着される扇風機用フィルタおよびその製造方法に関する。
【０００２】
【従来の技術】
近年、扇風機の回転羽根を外方から被う羽根ガードを被覆し、この状態を保持して扇風機を使用することで、室内の空気中に浮遊している微細なごみやほこりをろ過する扇風機用フィルタが開発されている。
従来の扇風機用フィルタとして、例えば特開平１１−１５９４９９号公報の「扇風機の埃やごみを取るフィルター」が知られている。
この従来のフィルタは、展開状態でドーナツ形状の一部分を半径方向に沿って扇状に裁断した形状を有し、かつ扇風機のモータ部に固定された羽根ガードの背面部を被覆可能なフィルタ材と、このフィルタ材の外縁部に縫着された伸縮自在な１本の平ゴムバンドと、前記羽根ガードに巻回されたフィルタ材の両端部を係止する面ファスナとを具備している。
【０００３】
この従来のフィルタの使用時には、まずフィルタ材により羽根ガードの背面部を被覆する。すなわち、フィルタ材の外縁部側を羽根ガードの最大径部、すなわち羽根ガードの前面部と背面部との連結部分に沿わせるとともに、フィルタ材の内縁部側を羽根ガードのモータ部との連結部分に沿わせて、このフィルタ材を羽根ガードに巻回する。その後、フィルタ材の両端部同士を着脱テープにより係止することで、この巻回状態を維持する。
モータ部によって回転羽根を回転すると、室内の空気は羽根ガードの背面部から羽根ガードの内部空間に吸い込まれ、その後、羽根ガードの前面部から扇風機の前方へ吹き出される。このとき、室内の空気中を浮遊する微細なごみやほこりはフィルタ材によってろ過される。
【０００４】
【発明が解決しようとする課題】
しかしながら、このような従来の扇風機用フィルタにあっては、以下の問題点があった。
(1) すなわち、フィルタ材が展開した状態で略ドーナツ形状を有していた。そのため、この展開形状のフィルタ材を裁断するためには、大判のフィルタ生地が必要となり、原料費が嵩むとともに端ぎれも多くなり、単位面積当たりのフィルタ生地から得られるフィルタ材の歩留りが低かった。
(2) また、フィルタ材の外縁部に平ゴムバンドを縫着すると、例えばフィルタ材が伸縮性の小さい不織布や織布の場合には、平ゴムバンドの最大伸長の長さは略フィルタ材の長さに限定されていた。そのため、市場には大小さまざまなサイズの扇風機が出回っており、このフィルタ材の長さを超えた大型の扇風機には、扇風機用フィルタの使用がむずかしく、強行すればフィルタが破損してしまうおそれもあった。
【０００５】
(3) さらに、従来のフィルタ材の内縁部分は、裁断時に単にカットされたままになっていた。そのため、フィルタ材の内縁部によって、羽根ガードとモータ部との連結部分を隙間なく密閉しにくかった。特に、通常の羽根ガードの背面部には上方へ突き出た把手が形成されているので、この把手部分のシールがむずかしかった。その結果、この隙間からろ過されないごみやほこりを含む室内空気がそのまま羽根ガードの内部へ吸い込まれてしまっていた。
(4) また、大型用のフィルタ材を小型の扇風機に装着しても、フィルタ材が扇状でモータ部側の開口部も大きくなるので、羽根ガードに取り付けた状態が不自然で外観上の問題があった。
【０００６】
【発明の目的】
そこで、この発明は、原料費が安価で、不織布の歩留りが高く、羽根ガードのサイズにかかわらず使用することができ、しかも不織布に形成されたたくさんのギャザによって集塵効果、特に羽根ガードとモータ部との連結部分の密閉性を高めたことによる集塵効果が高まる扇風機用フィルタおよびその製造方法を提供することを、その目的としている。
また、この発明は、係止部材の反復使用回数の増大を図ることができ、しかも羽根ガードの線材を利用してしっかりと不織布を羽根ガードに固定することができる扇風機用フィルタを提供することを、その目的としている。
【０００７】
【課題を解決するための手段】
請求項１に記載の発明は、扇風機のモータ部の出力シャフトに固着された回転羽根を外方から被うとともに、多数本の線材を有する羽根ガードの背面部を被覆可能で、長辺と短辺とを有して矩形状の不織布と、この不織布の長辺側の両縁部にそれぞれ取り付けられた伸縮自在な１対の弾性バンドとを備えた扇風機用フィルタである。
請求項２に記載の発明は、扇風機のモータ部の出力シャフトに固着された回転羽根を外方から被うとともに、多数本の線材を有する羽根ガードの背面部を被覆可能な矩形状の不織布と、該不織布の両縁部にそれぞれ取り付けられた伸縮自在な１対の弾性バンドと、前記不織布による羽根ガードの背面部の被覆状態を保持する係止部材とを備えた扇風機用フィルタであって、該不織布の長辺側の両縁部に、略全長にわたって各弾性バンドを遊挿する１対の管状のバンド通し部を配設し、両弾性バンドの長さを前記不織布の長辺より短くするとともに、前記モータ部側のバンド通し部に遊挿される弾性バンドの長さを、前記羽根ガードの前面部側の弾性バンドよりも短くし、各弾性バンドの両端部に、前記係止部材をそれぞれ配設した扇風機用フィルタである。
【０００８】
使用される扇風機の羽根ガードの各サイズ、具体的には羽根ガードの直径、羽根ガードの内周縁から外周縁までの半径方向に沿った長さ、および、モータ部の直径などは限定されない。
また、不織布の種類は限定されない。例えば大気汚染による空気中の粉塵のほか、花粉などを効率良く捕集することができる目付の不織布が好ましい。不織布としては、例えば綿、麻、絹などの天然繊維製の不織布でもよいし、プロピレン系樹脂繊維、ポリエステル系樹脂繊維、ポリエチレン系樹脂繊維などの各種の合成繊維製の不織布でもよい。また、不織布を合成樹脂で固めたものでもよい。
【０００９】
なお、不織布の表面および／または裏面に、例えば各種のプリント法によって、任意の模様、任意の図形、任意の絵などを印刷してもよい。
また、フィルタに消臭性および／または抗菌性を付与してもよい。消臭性を与える物質としては、例えば粉末活性炭などが挙げられる。さらに、抗菌性を与える物質としては、例えば酸化チタンなどを挙げることができる。これらは、あらかじめフィルタの繊維中に含めてもよいし、フィルタの製造後、塗布法などでフィルタ面に付着したり、フィルタ面から各繊維内に含浸してもよい。
不織布の縦横の長さは限定されない。要は、羽根ガードの背面部の全域を外方から被覆可能な平面視して矩形状であればよい。ただし、一般的な家庭用の扇風機のサイズは、羽根ガードの直径の平均が約４０ｃｍ、モータ部の直径の平均が約１２ｃｍである。これに対応して不織布の好ましい寸法は、縦（長辺側）１１０〜１３０ｃｍ、横（短辺側）２０〜２４ｃｍである。ちなみに、家庭用の大型の回転羽根の直径は３５ｃｍ、家庭用の小型の回転羽根の直径は３０ｃｍである。
不織布により覆われる羽根ガードの箇所は、背面部に限定されない。羽根ガードの背面部と前面部との両方でもよい。
【００１０】
弾性バンドの素材は限定されない。例えばゴムバンド、伸縮性を有する合成樹脂バンド、コイルばねのような弾性力を有する金属バンドでもよい。この弾性バンドは、その長さ方向の一部分だけを弾性体としてもよい。ただし、通常は、このバンドの全長が弾性体からなる。
係止部材の種類は限定されない。例えばフック、ホック、面ファスナまたは粘着テープなどでもよい。
係止部材が係止される被係止部材は、例えば不織布でもよいし、羽根ガードの線材のような扇風機の一部分でもよい。
バンド通し部の直径は限定されない。要は、弾性バンドを遊挿することができればよい。また、バンド通し部は、不織布の長辺に沿って長尺なものを１本形成してもよいし、これを複数に分割したものでよい。
両弾性バンドの長さは不織布の長辺より短くしなければならない。短尺にすることで、不織布の全体、特に不織布の長辺側の両端部にギャザがそれぞれ形成される。また、扇風機のモータ部側の弾性バンドの長さ、および、これとは反対に配置された羽根ガードの前面部側の弾性バンドの長さは限定されない。ただし、通常はモータ部側の弾性バンドが６０〜７０ｃｍ、反対側の弾性バンドが８０〜９０ｃｍである。すなわち、その長さの差は１０〜３０ｃｍである。
【００１１】
前記係止部材が、前記線材に掛脱自在なフックである。フックの形状は限定されない。要は、線材に掛止したり外したりすることができる形状であればよい。請求項３に記載の発明は、不織布ロールから導出された帯状の不織布の端部を、その導出方向に直交する方向から該帯状の不織布の幅の全長にわたって裁断することで、扇風機の回転羽根を外方から被う羽根ガードの背面部を被覆可能な矩形状の不織布を形成する工程と、この矩形状の不織布の長辺側の両縁部に、長さの異なる１対の弾性バンドをそれぞれ取り付ける工程とを備えた扇風機用フィルタの製造方法である。
【００１２】
前記弾性バンドがゴムバンドである。ゴムバンドの種類は限定されない。平ゴムでもよいし、丸ゴムでもよい。平ゴムの場合、通常、その伸び率は２．５倍である。
【００１３】
請求項４に記載の発明は、不織布ロールから導出された帯状の不織布の端部を、その導出方向に直交する方向から該帯状の不織布の幅の全長にわたって裁断することで、扇風機の回転羽根を外方から被う羽根ガードの背面部を被覆可能な矩形状の不織布を形成する工程と、該矩形状の不織布の長辺側の両縁部に、略全長にわたって弾性バンドが遊挿される管状のバンド通し部をそれぞれ形成する工程と、一方の前記バンド通し部に、前記不織布の長辺より短い弾性バンドを遊挿する工程と、他方の前記バンド通し部に、前記不織布の長辺および前記一方の弾性バンドよりも短い別の弾性バンドを遊挿する工程と、各弾性バンドの両端部に、前記不織布による羽根ガードの背面部の被覆状態を保持する係止部材をそれぞれ設ける工程とを備えた扇風機用フィルタの製造方法である。
【００１４】
【作用】
請求項１〜請求項４の発明によれば、不織布を矩形状としたので、不織布の裁断時には、例えば反物状の不織布ロールを用意し、ロールから導出された帯状の不織布を所定長さずつ切断すれば、矩形状の不織布を簡単かつ高い歩留りで製造することができる（請求項４）。これにより、扇風機用フィルタのコスト低減が図れる。フィルタ使用時には、対応するバンド通し部に遊挿された短尺な弾性バンドと長尺な弾性バンドとの両端部をそれぞれ握って引き延ばし、次いで各係止部材を不織布または扇風機の一部分にそれぞれ係止し、不織布によって羽根ガードを外方から被覆する。このとき、１対の弾性バンドは、羽根ガードの小径な内周部と、大径な外周部とに合わせて長さが異なっている。しかも、これらの弾性バンドは各対応するバンド通し部内で長さ方向へ移動自在に遊挿しているので、従来の不織布と弾性バンドとが一体化した扇風機用フィルタのように、フィルタ装着時、不織布（フィルタ材）の長さに弾性バンドの伸長が制約されることがない。そのため、羽根ガードのサイズ（直径など）にかかわらず、羽根ガードの全体を良好に被覆することができる。
【００１５】
また、このような弾性バンドと一体化した不織布を使用すると、不織布は、弾性バンドの全長のうちで不織布が固定された部分の長さまでしか短くならない。よって、大型の扇風機用の大きな扇風機用フィルタで小型の羽根ガードを被覆した際には、不織布の形状がいびつ化して弛みやすかった。そのため、特に小径なモータ部側では、不織布と羽根ガードとの間に隙間が形成されやすくなっていた。したがって、この隙間から微細なごみ類が羽根ガードの内部へ吸い込まれるおそれがある。しかしながら、この発明ではバンド通し部によって不織布とは別個に弾性バンドが伸縮し、このモータ部への不織布の密着が可能になることから、このような不都合を解消することができる。その結果、扇風機用フィルタによる羽根ガードの背面部の密閉性が高まり、扇風機用フィルタの集塵効果を高めることができる。
さらにまた、このように不織布の形状を１対の長辺が同じ長さとなる矩形状とし、しかも両弾性バンドを、不織布の各対応するバンド通し部に長さ方向へ移動自在（または不織布が弾性バンドの外周面を滑って移動自在）に遊挿したので、バンド係止時、弾性バンドの伸長の程度にかかわらず、羽根ガードの背面部を覆った不織布の全体、殊にこの羽根ガードの小径な内周部を覆った不織布の長辺側の一端部にたくさんのギャザが形成される。そのため、このギャザによってフィルタの密閉性がより以上に高まるとともに捕集面積も大きくなる。その結果、羽根ガードとモータ部との連結部分の集塵効果をさらに高めることができる。
【００１６】
例えば係止部材を線材に掛脱自在なフックとした場合、使用時には、対応するバンド通し部に遊挿された短尺な弾性バンドと長尺な弾性バンドとをそれぞれ引き延ばし、各係止部材を扇風機の線材にそれぞれ係止する。その結果、係止部材の反復使用回数の増大を図ることができるとともに、羽根ガードの線材を利用して不織布をしっかりと羽根ガードに固定することができる。ただし、フックは必ずしも線材に掛止する必要はない。例えば、１本の弾性バンドの一方の端部に設けられたフックと、他端の端部に設けられたフックとを掛止してもよい。
【００１７】
【発明の実施の形態】
以下、この発明の一実施例を説明する。
図１は、この発明の一実施例に係る扇風機用フィルタの使用状態の斜視図である。図２は、この発明の一実施例に係る扇風機用フィルタの平面図である。図３は、この発明の一実施例に係る扇風機用フィルタの製造方法における不織布の裁断工程を示す斜視図である。
図１および図２において、１０はこの発明の一実施例に係る扇風機用フィルタである。この扇風機用フィルタ１０は、扇風機１１のモータ部１２の出力シャフトに固着された回転羽根１３を外方から被い、かつ多数本の線材１４を有する羽根ガード１５の背面部１５Ａを被覆可能な不織布１６と、この不織布１６の両縁部にそれぞれ取り付けられる伸縮自在な１対の平ゴムバンド（弾性バンド）１７，１８と、不織布１６による前記背面部１５Ａの被覆状態を保持する４個のフック（係止部材）１９…とを備えている。
【００１８】
不織布１６は平面視して矩形状であり、図３に示すように不織布ロールＲから導出された幅（短辺）約２４ｃｍの帯状の不織布１６を、長さ（長辺）約１３０ｃｍごとに、順次、裁断することで容易に得られる。しかも、不要な端ぎれを出すことなく高い歩留りで不織布１６を製造することができる。これにより、扇風機用フィルタ１０のコストを低減することができる。この大きさに裁断すれば、得られた不織布１６によって、直径３５ｃｍの羽根ガード１５の背面部１５Ａの略全域を外方から被覆することができる。
不織布１６は、繊維径が約１０デニールのポリエステル系樹脂繊維を、所定のバインダにより接着して得られたものである。目付は３０ｇ／ｍ２であり、見かけ厚さは１〜３ｍｍ、フィルタ圧力損失は０．２０ｍｍＨ２Ｏである。
【００１９】
不織布１６の長辺側の両縁部は、これらの両縁部を内側へ約１０ｍｍだけ折り返し、各折り返し部を管状に熱融着して、これらの長辺の全長にわたって幅約３．５ｍｍの各平ゴムバンド１７，１８をそれぞれ遊挿する１対のバンド通し部２０，２１が形成されている。
短尺側の平ゴムバンド１７の長さは７０ｃｍである。長尺側の平ゴムバンド１８の長さは９０ｃｍである。したがって、各平ゴムバンド１７，１８の長さは、不織布１６の長辺（１３０ｃｍ）よりもそれぞれ短い。よって、対応するバンド通し部２０，２１に平ゴムバンド１７，１８を挿通すると、不織布１６の全体、とりわけ不織布１６の長辺側の両縁部分にそれぞれたくさんのギャザが形成される（図１）。このうち、平ゴムバンド１７の方が平ゴムバンド１８よりも２０ｃｍだけ短い。そのため、不織布１６のバンド通し部２０側の周辺に、よりたくさんのギャザが発生する。
前記各フック１９…は平面視してＳ字形を有している。これらのフック１９…は、短尺な金管によるカシメ法によって、各平ゴムバンド１７，１８の両端部にそれぞれしっかりと固定されている。
【００２０】
次に、この一実施例に係る扇風機用フィルタ１０の使用方法を説明する。
図１〜図３に示すように、この扇風機用フィルタ１０の使用時には、あらかじめ不織布１６のバンド通し部２０側の縁部分において、短尺な平ゴムバンド１７の中央部にギャザを束ね、バンド通し部２０の見かけ上の長さを４０ｃｍ程度にする。これにより、短尺化されたバンド通し部２０の両端から１５ｃｍ程度ずつ、平ゴムバンド１７の両端部が外方へそれぞれ突出する。この状態のまま、羽根ガード１５の背面部１５Ａを外方から不織布１６により被覆する。その際、不織布１６のバンド通し部２０側の縁部分を小径なモータ部１２側に向ける一方、不織布１６のバンド通し部２１側の縁部分を、羽根ガード１５の大径な前面部１５Ｂとの連結側に向ける。この羽根ガード１５の被覆時に、不織布１６の重ね合わされる短辺側の両端部を、羽根ガード１５の周側部に向くように位置調整すれば、以降の作業を比較的楽な手順で行える。
【００２１】
次いで、この短尺な平ゴムバンド１７の両端部は、いったん交差させた後、モータ部１２の元部の外周面に巻き付け、そしてこの交差箇所とはモータ部１２の反対側の位置で、平ゴムバンド１７の両端のフック１９，１９同士を掛止する。これにより、不織布１６のバンド通し部２０側の縁部分がモータ部１２の元部にしっかりと固定される。このとき、平ゴムバンド１７の伸長の程度にかかわらず、不織布１６の全体、とりわけ背面部１５Ａの内周部を覆った不織布１６のバンド通し部２０の部分にたくさんのギャザが形成される。そのため、これらのギャザによって扇風機用フィルタ１０の密閉性がさらに高まり、微細なごみやほこりの捕集面積も大きくなる。その結果、羽根ガード１５とモータ部１２との連結部分の集塵効果をさらに高めることができる。
【００２２】
一方、バンド通し部２１に遊挿された長尺な平ゴムバンド１８の両端部を引き延ばし、平ゴムバンド１８の両端部を交差させ、その状態のまま両フック１９，１９を、前面部１５Ｂの背面部１５Ａ側の部分において所定の線材１４にそれぞれ掛止する。その後、両フック１９，１９を線材１４に沿って前面部１５Ｂの背面部１５Ａ側の端まで滑らせ、次に不織布１６の外縁部の一部分を摘み上げ、これを平ゴムバンド１８の両端部および両フック１９の上に被せる。これにより、扇風機用フィルタ１０の外観が良好になる。
それから、扇風機１１の背後から扇風機用フィルタ１０の装着状態、すなわち不織布１６全体のギャザや張りの現出状態をチェックする。すなわち、ギャザなどがモータ部１２を中心にして不織布１６の全域に均一な放射状に現出されるように調整する。
その後、モータ部１２の出力シャフトを回転し、回転羽根１３を回転すると、室内の空気は羽根ガード１５の背面部１５Ａから羽根ガード１５の内部空間に吸い込まれる。そして、羽根ガード１５の前面部１５Ｂから扇風機１１の前方へ吹き出される。このとき、室内の空気中を浮遊している微細なごみやほこりは、この背面部１５Ａの全域を略完全に被覆した不織布１６により高い集塵率でろ過される。
【００２３】
長短１対の平ゴムバンド１７，１８の長さは、あらかじめ羽根ガード１５の小径な内周部または大径な外周部に合わせて決定される。しかも、両平ゴムバンド１７，１８を、不織布１６の対応するバンド通し部２０，２１内で長さ方向へ移動自在に遊挿したので、従来の不織布と弾性バンドとが一体化したもののように、フィルタ装着時、不織布１６の長さに平ゴムバンド１７，１８の伸長が制約されることはない。そのため、羽根ガード１５のサイズ（直径など）にかかわらず、羽根ガード１５の全体を良好に被覆することができる。
また、このような弾性バンドと一体化した不織布を使用すると、不織布は、弾性バンドの全長のうちで不織布が固定された部分の長さまでしか短くならない。よって、大型の扇風機用の大きな扇風機用フィルタで小型の羽根ガードを被覆した際、不織布の形状がいびつ化して弛みやすい。そのため、殊に小径なモータ部側では、不織布と羽根ガードとの間に隙間が形成されやすくなっていた。よって、この隙間から微細なごみ類が羽根ガードの内部へ吸い込まれるおそれがあった。
【００２４】
しかしながら、一実施例ではバンド通し部２０，２１の存在によって、不織布１６とは別個に平ゴムバンド１７，１８を伸縮可能であるため、不織布１６をモータ部１２に密着することが可能になる。よって、上述した従来技術の不都合を解消することができる。その結果、扇風機用フィルタ１０による羽根ガード１５の背面部１５Ａの密閉性が高まり、扇風機用フィルタ１０の集塵効果を高めることができる。
さらには、従来の扇風機用フィルタによれば、仮に小型の扇風機用の扇風機用フィルタで大型の羽根ガードをむりやり被覆した場合、このように不織布と弾性バンドとが一体化しているので、不織布が破損しやすかった。しかしながら、この一実施例ではそのようなおそれも解消される。
【００２５】
また、このように不織布１６の形状を１対の長辺の長さが同じとなる矩形状とし、かつ両平ゴムバンド１７，１８を、不織布１６の各対応するバンド通し部２０，２１に長さ方向へ移動自在に遊挿したので、バンド係止時、使用される扇風機が大型（回転羽根の直径３５ｃｍ）であっても、小型（回転羽根の直径３０ｃｍ）であっても、これらの平ゴムバンド１７，１８の伸長の程度にかかわらず、不織布１６の全体、殊に羽根ガード１５の内周部を覆った不織布１６の部分にたくさんのギャザが形成される。そのため、この背面部１５Ａの上部より突出した把手を含めて、ギャザによって扇風機用フィルタ１０の密閉性がより高まる一方、このギャザ形成部分の捕集面積も拡大する。その結果、羽根ガード１５とモータ部１２との連結部分の集塵効果をさらに高めることができる。
また、この一実施例では、係止部材として線材１４に掛脱自在なフック１９…を採用したので、例えば従来の面ファスナなどに比べて、係止部材の反復使用回数の増大を図ることができる。しかも、この線材１４を利用して不織布１６をしっかりと羽根ガード１５に固定することができる。
【００２６】
【発明の効果】
この請求項１および請求項４の発明によれば、不織布を平面視して矩形状としたので、例えば不織布ロールから導出された帯状の不織布を、所定長さごとに、順次、裁断することで容易に不織布を製造することができる（請求項４）。しかも、不要な端ぎれを出すことなく高い歩留りで不織布を製造することができる。その結果、扇風機用フィルタのコストを低減することができる。
また、１対の弾性バンドの長さを、羽根ガードの小径な内周部または大径な外周部に応じて変更し、かつ各弾性バンドを対応するバンド通し部内でその長さ方向へ移動自在に遊挿したので、装着される羽根ガードのサイズにかかわらず、羽根ガードの全体を良好に被覆することができる。その結果、扇風機用フィルタによる羽根ガードの背面部の密閉性が高まり、この扇風機用フィルタの集塵効果を高めることができる。
【００２７】
さらに、このように不織布の形状を矩形状とし、しかも両弾性バンドをバンド通し部に遊挿したので、弾性バンドの伸長の程度にかかわらず、不織布の全体に形成されたギャザ、殊に羽根ガードの内周部を覆った不織布の部分に形成されたギャザによって、フィルタの密閉性がより以上に高まる。しかも、このギャザ形成部における捕集面積も大きくなる。その結果、羽根ガードとモータ部との連結部分の集塵効果をさらに高めることができる。
【００２８】
特に、請求項２の発明によれば、係止部材を線材に掛脱自在なフックとしたので、係止部材の反復使用回数の増大が図れ、しかも羽根ガードの線材を利用して不織布をしっかりと羽根ガードに固定することができる。
【図面の簡単な説明】
【図１】この発明の一実施例に係る扇風機用フィルタの使用状態の斜視図である。
【図２】この発明の一実施例に係る扇風機用フィルタの平面図である。
【図３】この発明の一実施例に係る扇風機用フィルタの製造方法における不織布の裁断工程を示す斜視図である。
【符号の説明】
１０  扇風機用フィルタ、
１１  扇風機、
１２  モータ部、
１３  回転羽根、
１４  線材、
１５  羽根ガード、
１５Ａ  背面部、
１６  不織布、
１７，１８  平ゴムバンド（弾性バンド）、
１９  フック（係止部材）、
２０，２１  バンド通し部。
【図１】
0004458718.tif 000002
【図２】
0004458718.tif 000003
【図３】
0004458718.tif 000004